【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
コンピュータ支援設計システム（１００）を用いて仮想的なジオメトリモデルを作成するための方法において、
・仮想的な製図ツール（２００）を配置し（１５０８）、
・前記仮想的な製図ツール（２００）に対して仮想的なマーキングデバイスを配置し（１５１２）、
・前記仮想的な製図ツール（２００）の外側エッジに沿ったガイドエッジ（２０４）を作成し、
・前記ガイドエッジ（２０４）によって囲まれたマスク領域（２０８）を作成し、当該マスク領域（２０８）の下では、前記仮想的なマーキングデバイスは、インクの載置が不可能であり、
・前記仮想的な製図ツール（２００）を用いて前記仮想的なマーキングデバイスによってインクを載置することにより、ページ上にジオメトリモデルを描画し（１５１６）、
・前記ジオメトリモデルをメモリに記憶する、
ことを特徴とする方法。
【請求項２】
前記仮想的なマーキングデバイスによって載置された前記インクは、前記ガイドエッジ（２０４）に従う、
ことを特徴とする請求項１記載の方法。
【請求項３】
当該マスク領域（２０８）の下では、前記仮想的なマーキングデバイスは、インクの消去が不可能である、
ことを特徴とする請求項２記載の方法。
【請求項４】
さらに、前記ガイドエッジ（２０４）から所定の距離内にある影響帯を作成する、なお、当該影響帯（２１２）内で載置された前記インクは、意図された直線又は曲線に近似するよう修正される、
ことを特徴とする請求項２記載の方法。
【請求項５】
前記仮想的な製図ツールの前記ガイドエッジ（２０４）は、隣接するツールのガイドエッジ（２０４）へとスナップする、
ことを特徴とする請求項２から４のいずれか一項記載の方法。
【請求項６】
さらに、前記ガイドエッジと共線をなすようにインクを載置することによって、線（２０２）を描画する、
ことを特徴とする請求項２から５のいずれか一項記載の方法。
【請求項７】
さらに、前記影響帯（２１２）の内側で、前記ガイドエッジ（２０４）から所定の距離だけオフセットしてインクを載置することによって、線（２０２）を描画する、
ことを特徴とする請求項２から５のいずれか一項記載の方法。
【請求項８】
さらに、ポインティングデバイスによって前記仮想的なマーキングデバイスを選択し、
前記仮想的なマーキングデバイスを操作するために前記ポインティングデバイスを操作する、
ことを特徴とする請求項１から７のいずれか一項記載の方法。
【請求項９】
さらに、ポインティングデバイスによって前記仮想的な製図ツール（２００）を選択し（１５０４）、
前記仮想的な製図ツール（２００）を操作するために前記ポインティングデバイスを操作する、
ことを特徴とする請求項１から８のいずれか一項記載の方法。
【請求項１０】
さらに、
・仮想的な製図ツール（２００）の選択肢をユーザに表示し、
・対応するユーザの選択を受信する、
なお、前記仮想的な製図ツールの選択肢は、仮想的なＴ定規（４０８，５００）と、仮想的な三角定規（２００，４０４）と、仮想的な分度器（７００）と、仮想的な製図機と、仮想的なコンパスと、仮想的なシンボルテンプレート（８００）と、仮想的な三角スケールと、仮想的な雲形定規（９００）と、仮想的な字消し板（１０００）と、仮想的なフレキシブルスプライン（１１００）と、仮想的なレタリングガイド（１２００）と、仮想的な製図テープと、を含む、
ことを特徴とする請求項１から９のいずれか一項記載の方法。
【請求項１１】
さらに、仮想的な製図テープを用いて、仮想的な製図板に対して選択された位置にドキュメントを固定する、なお、前記ドキュメントは、前記製図テープを除去することなく動かすことは不可能である、
ことを特徴とする請求項１から１０のいずれか一項記載の方法。
【請求項１２】
消去されたインクのグラフィカル表示をページ上に残す、
ことを特徴とする請求項１から１１のいずれか一項記載の方法。
【請求項１３】
直線又は曲線を消去した後、消し屑の残存するグラフィカル表示がページ上に残される、
ことを特徴とする請求項１から１２のいずれか一項記載の方法。
【請求項１４】
少なくとも１つのプロセッサ（１０２）と、当該プロセッサに接続されたメモリ（１０８，１２６）とを含む、オブジェクトの仮想的なジオメトリモデルを作成するためのデータ処理システム（１００）において、
前記データ処理システム（１００）は、
・仮想的な製図ツールを作成し、
・仮想的なマーキングデバイスを作成し、
・前記仮想的な製図ツール（２００）をページ上に配置し（１５０８）、
・前記仮想的な製図ツール（２００）に対して前記マーキングデバイスを配置し（１５１２）、
・前記仮想的な製図ツール（２００）の外側エッジに沿ったガイドエッジ（２０４）を作成し、
・前記ガイドエッジ（２０４）によって囲まれたマスク領域（２０８）を作成し、当該マスク領域（２０８）の下では、前記仮想的なマーキングデバイスは、インクの載置が不可能であり、
・前記仮想的な製図ツール（２００）を用いて前記仮想的なマーキングデバイスによってインクを載置することにより、ジオメトリモデルを描画し、
・前記ジオメトリモデルをメモリ（１０８，１２６）に記憶する、
ように構成されている、
ことを特徴とするデータ処理システム（１００）。
【請求項１５】
前記仮想的なマーキングデバイスによって載置された前記インクは、前記ガイドエッジ（２０４）に従う、
ことを特徴とする請求項１４記載のデータ処理システム（１００）。
【請求項１６】
当該マスク領域（２０８）の下では、前記仮想的なマーキングデバイスは、インクの消去が不可能である
ことを特徴とする請求項１５記載のデータ処理システム（１００）。
【請求項１７】
前記ガイドエッジ（２０４）から所定の距離内にある影響帯をさらに含み、当該影響帯（２１２）内で載置された前記インクは、意図された直線又は曲線に近似するよう修正される、
ことを特徴とする請求項１５記載データ処理システム（１００）。
【請求項１８】
前記仮想的な製図ツールの前記ガイドエッジ（２０４）は、隣接するツールのガイドエッジ（２０４）へとスナップする、
ことを特徴とする請求項１５から１７のいずれか一項記載のデータ処理システム（１００）。
【請求項１９】
仮想的な製図板に対して選択された位置にドキュメントを保持するための仮想的な製図テープをさらに含み、前記ドキュメントは、前記製図テープを除去することなく動かすことは不可能である、
ことを特徴とする請求項１４から１８のいずれか一項記載のデータ処理システム（１００）。
【請求項２０】
消去された線のグラフィカル表示をページ上にさらに含む、
ことを特徴とする請求項１４から１９のいずれか一項記載のデータ処理システム（１００）。
【請求項２１】
直線又は曲線を消去した後、消し屑の残存するグラフィカル表示がページ上に残される、
ことを特徴とする請求項１４から２０のいずれか一項記載のデータ処理システム（１００）。
【請求項２２】
前記データ処理システム（１００）はさらに、
・仮想的な製図ツール（２００）の選択肢をユーザに表示し、
・対応するユーザの選択を受信する、
ように構成されており、
なお、前記仮想的な製図ツールの選択肢は、仮想的なＴ定規（４０８，５００）と、仮想的な三角定規（２００，４０４）と、仮想的な分度器（７００）と、仮想的な製図機と、仮想的なコンパスと、仮想的なシンボルテンプレート（８００）と、仮想的な三角スケールと、仮想的な雲形定規（９００）と、仮想的な字消し板（１０００）と、仮想的なフレキシブルスプライン（１１００）と、仮想的なレタリングガイド（１２００）と、仮想的な製図テープと、を含む、
ことを特徴とする請求項１４から２１のいずれか一項記載のデータ処理システム（１００）。
【請求項２３】
オブジェクトの仮想的なジオメトリモデルを作成するためのコンピュータ実行可能命令が符号化されている非一過性のコンピュータ可読媒体において、
前記コンピュータ実行可能命令は、実行された場合に、少なくとも１つのデータ処理システムに命令して、
・仮想的な製図ツール（２００）を作成させ、
・仮想的なマーキングデバイスを作成させ、
・前記仮想的な製図ツール（２００）をページ上に配置させ（１５０８）、
・前記仮想的な製図ツール（２００）に対して前記仮想的なマーキングデバイスを配置させ（１５１２）、
・前記仮想的な製図ツール（２００）の外側エッジに沿ったガイドエッジ（２０４）を作成させ、
・前記ガイドエッジ（２０４）によって囲まれたマスク領域（２０８）を作成させ、当該マスク領域（２０８）の下では、前記仮想的なマーキングデバイスは、インクの載置が不可能であり、
・前記仮想的な製図ツール（２００）を用いて前記仮想的なマーキングデバイスによってインクを載置することにより、ジオメトリモデルを描画させ、
・前記ジオメトリモデルをメモリ（１０８，１２６）に記憶させる、
ことを特徴とする非一過性のコンピュータ可読媒体。
【手続補正２】
【補正対象書類名】明細書
【補正対象項目名】発明の名称
【補正方法】変更
【補正の内容】
【発明の名称】仮想的なジオメトリモデルを作成するための方法、データ処理システム、および、非一過性のコンピュータ可読媒体